(57)【要約】【課題】通し具へ紐やゴムなどのセットを簡便に行うことができ、さらに、紐やゴムなどをスカートやズボンなどのウエスト部分の通し部に通しやすい通し具を提供する。【解決手段】上部挟持板１、下部挟持板２、および、上部挟持板１および下部挟持板２の各後端部１ａ、２ａにそれぞれ接続されるとともに上部挟持板１および下部挟持板２の各先端部１ｂ、２ｂを回動操作により開閉する操作板３を有するクリップ部４と、クリップ部４の後端側４ａに接続されクリップ部４に接続されている側の幅より後端部５ａの幅が小さく成るように構成された棒体部５とを備える。【選択図】図１
2014105420.tif 000002
【特許請求の範囲】
【請求項１】
上部挟持板、下部挟持板、および、上記上部挟持板および上記下部挟持板の各後端部にそれぞれ接続されるとともに上記上部挟持板および上記下部挟持板の各先端部を回動操作により開閉する操作板を有するクリップ部と、
上記クリップ部の後端側に接続され当該クリップ部に接続されている側の幅より後端部の幅が小さく成るように構成された棒体部とを備えた通し具。
【請求項２】
上記操作板は、上記各挟持板に対して垂直方向となるように回動した時に上記各挟持板の先端部を開状態とし、上記各挟持板に対して水平方向となるように回動した時に上記各挟持板の先端部を閉状態とするとともに、当該水平時の厚みは上記各挟持板の厚み内にて構成される請求項１に記載の通し具。
【請求項３】
上記棒体部は、上記操作板に連結され上記各挟持板に対して上下方向に回動可能に設置されている請求項１または請求項２に記載の通し具。
【請求項４】
上記棒体部は、上記操作板に連結され上記各挟持板に対して水平方向に回動可能に設置されている請求項１または請求項２に記載の通し具。
【請求項５】
上記棒体部は、上記操作板と一体成形されている請求項１から請求項４のいずれか１項に記載の通し具。
【発明の詳細な説明】
【技術分野】
【０００１】
この発明は、通し具へ紐やゴムなどのセットを簡便に行うことができ、さらに、紐やゴムなどをスカートやズボンなどのウエスト部分の通し部に通しやすい通し具に関するものである。
【背景技術】
【０００２】
従来の第１の通し具は、
平ゴム通し穴の幅を捩れては困る平ゴムの５種類の各幅、３０ｍｍ、２５ｍｍ、２０ｍｍ、１５ｍｍ、１０ｍｍと同幅にして、平ゴム通し穴を三つ、設け、平ゴムを順に、平ゴム通し穴に通し、最後に最初の穴に通すことにより、穴の仕切り部に設けたギザギザで平ゴムをずれなくし、引っ掛けただけの平ゴムを穴の仕切り部と穴の仕切り枠とで押さえるものである（例えば、特許文献１参照）。
【０００３】
また、従来の第２の通し具は、長状の先導部と、紐を着脱自在に掴持するべく先導部後端に連設された掴持部と、掴持状態を維持せしめるための強制ロック手段とを有する紐通し具において、掴持部が協労してそれらの後端間に紐を挟圧する横幅が５ｍｍ以上の固定片と揺動片とを有し、揺動片が自然状態において固定片から離反するように弾力付勢されており、強制ロック手段が押圧部および操作把持部を有する側面視略Ｌ字形の枢動体を有し、枢動体はその両側に突成した突軸を固定片の両側に起立せしめた一対の軸支耳部の軸支孔に軸転自由に嵌合せしめることにより枢動可能としたものである（例えば、特許文献２参照）。
【先行技術文献】
【特許文献】
【０００４】
【特許文献１】特開２００５−２４０２６４号公報
【特許文献２】実開昭６３−１０６７９０号公報
【発明の概要】
【発明が解決しようとする課題】
【０００５】
従来の第１の通し具は、平ゴムを通し具にセットする工程が煩雑であり、手間がかかるという問題点があった。
【０００６】
また、従来の第２の通し具は、先導部に相当する部分が幅広く、紐やゴムなどを通す場合に行いにくいという問題点があった。
【０００７】
この発明は上記のような課題を解決するためになされたものであり、通し具へ紐やゴムなどのセットを簡便に行うことができ、さらに、紐やゴムなどをスカートやズボンなどのウエスト部分の通し部に通しやすい通し具を提供することを目的とする。
【課題を解決するための手段】
【０００８】
この発明の通し具は、上部挟持板、下部挟持板、および、上記上部挟持板および上記下部挟持板の各後端部にそれぞれ接続されるとともに上記上部挟持板および上記下部挟持板の各先端部を回動操作により開閉する操作板を有するクリップ部と、
上記クリップ部の後端側に接続され当該クリップ部に接続されている側の幅より後端部の幅が小さく成るように構成された棒体部とを備えたものである。
【発明の効果】
【０００９】
この発明の通し具は、上記のように構成されているため、通し具へ紐やゴムなどのセットを簡便に行うことができ、さらに、紐やゴムなどをスカートやズボンなどのウエスト部分の通し部に通しやすくできる。
【図面の簡単な説明】
【００１０】
【図１】この発明の実施の形態１の通し具の構成を示す斜視図である。
【図２】図１に示した通し具の上部挟持板の構成を示す斜視図である。
【図３】図１に示した通し具の下部挟持板の構成を示す斜視図である。
【図４】図１に示した通し具の操作板および棒体部の構成を示す斜視図である。
【図５】図１に示した通し具の閉状態の構成を示す断面図である。
【図６】図１に示した通し具の開状態の構成を示す断面図である。
【図７】図１に示した通し具の使用方法を説明するための図である。
【図８】図１に示した通し具の使用方法を説明するための図である。
【図９】この発明の他の実施の形態１の通し具の構成を示す斜視図である。
【図１０】この発明の他の実施の形態１の通し具の構成を示す斜視図である。
【発明を実施するための形態】
【００１１】
実施の形態１．
以下、本願発明の実施の形態について説明する。図１はこの発明の実施の形態１における通し具の構成を示す図、図２は図１に示した通し具の上部挟持板の詳細な構成を示す斜視図、図３は図１に示した通し具の下部挟持板の詳細な構成を示す斜視図、図４は図１に示した通し具の操作板および棒体部の詳細な構成を示す斜視図、図５は図１に示した通し具の閉状態の構成を示す断面図、図６は図１に示した通し具の開状態の構成を示す断面図、図７および図８は図１に示した通し具の使用方法を説明するための図である。
【００１２】
図において、通し具１００は、上部挟持板１、下部挟持板２、および、上部挟持板１および下部挟持板２の各後端部１ａ、２ａにそれぞれ接続されるとともに上部挟持板１および下部挟持板２の各先端部１ｂ、２ｂを回動操作により開閉する操作板３を有するクリップ部４と、クリップ部４の後端部４ａに接続されクリップ部４に接続されている側の幅より後端部５ａの幅が小さく成るように構成された棒体部５とにて構成されている。通し具１００は、例えばプラスティック、ポリカーボネートなどにて形成することが可能であり、弾力性、耐久性の面で優れているものが適当であり、これらを用いることにより低コストにて作成することができる。
【００１３】
クリップ部４において、開状態とは、上部挟持板１の先端部１ｂと、下部挟持板２の先端部２ｂとが離反した状態、すなわち、紐やゴムなどを挿入可能な程度に離反している状態を指すものである。また、閉状態とは、上部挟持板１の先端部１ｂと、下部挟持板２の先端部２ｂとが接しているまたは開状態より近接している状態、すなわち、紐やゴムなどが挿入され挟持可能な状態を指すものである。
【００１４】
上部挟持板１は、先端部１ｂ側が略長方形状で、先端が円弧状にて形成されている。そして後端部１ａ側には、略長方形状に連結した断面凹形状の受け部１０が形成されている。受け部１０は、後端部１ａ側に立ち上がり部１１を有している。この立ち上がり部１１の端部には、両端にヒンジ部１２、１３と、この両ヒンジ部１２、１３間には窪み部１４とを有する。また、立ち上がり部１１の両下端側には凹部１５、１６がそれぞれ形成されている。また、先端部１ｂの中央部には、下面方向にノコギリ歯状に突出する上歯部１７が形成されている。
【００１５】
下部挟持板２は、上部挟持板１と対称形状にてなる、先端部２ｂ側が略長方形状で、先端が円弧状にて形成されている。そして、後端部２ａ側には両側から垂直状に形成されている側壁２１、２２と、この両側壁２１、２２の上面を跨ぐように形成された架橋部２３とを備えている。そして、当該架橋部２３と両側壁２１、２２とは一体的に形成されている。よって、架橋部２３の下部は空隙部２４が形成されるとともに、架橋部２３の先端部２ｂ側には開口部２５が形成されている。
【００１６】
そして、架橋部２３の後端部２ａ側には、上部挟持板１のヒンジ部１２、１３がそれぞれ挿入可能な切り欠き部２６、２７が形成されている。これら切り欠き部２６、２７の間には、上部挟持板１の窪み部１４上に載置可能な下側に突出する凸部２８が形成されている。また、先端部２ｂの中央部には、上面方向にノコギリ歯状に突出する前下歯部２９、前下歯部２９よりノコギリ歯状の数が多い後下歯部３０が形成されている。そして、これらか前下歯部２９、後下歯部３０間は、クリップ部４が閉状態時に、上部挟持板１の上歯部１７が挿入可能位置で、挿入可能な間隔を隔てて形成されている。
【００１７】
操作板３は、左右に断面Ｌ字状に形成されたアーム部３１、３２と、この両アーム部３１、３２の上面を跨ぐように形成された作動部３３とを備えている。そして、両アーム部３１、３２の内面には突起部３４、３５がそれぞれ形成されている。これは、受け部１０の立ち上がり部１１の凹部１５、１６に対応させて形成されたものである。また、作動部３３の下部は窓部３６が形成されている。よってアーム部３１、３２は、下部挟持板２の両側壁２１、２２の内壁と、上部挟持板１の凹形状の受け部１０の両側面との間に嵌まって約９０°回動可能になっている。よって、操作板３は、各挟持板１、２に対して垂直方向Ａとなるように回動した時に各挟持板１、２の先端部１ｂ、２ｂを開状態とし、各挟持板１、２に対して水平方向Ｂとなるように回動した時に各挟持板の先端部を閉状態とすることができる。そして、図６に示すように、水平時の操作板３の厚みｔは各挟持板１、２の厚みＴ内におさまる。尚、垂直方向Ａとは、必ずしも９０度に限定されるものではなく、略垂直で有ればよい。また、水平方向Ｂとは、必ずしも１８０度に限定されるものではなく、略水平で有ればよい。
【００１８】
棒体部５は、クリップ部４の後端部４ａ、すなわち、操作板３の後端部３ａに、操作板３と一体に形成されている。当該棒体部５は、操作板３と連接している側は、操作板３の横方向と同一の幅を有し、操作板３と連接していない側は、幅が狭く円柱状の棒形状にて形成されている。
【００１９】
上記のように構成された実施の形態１の通し具の組み立ての手順について説明する。まず、上部挟持板１の受け部１０の立ち上がり部１１を下部挟持板２の架橋部２３の下の開口部２５に前方から差し込む。そして、操作板３のアーム部３１、３２を垂直にして作動部３３を下部挟持板２の後方から、図５に示すように、受け部１０と架橋部２３との間に挟み込むように差し入れた状態で上部挟持板１の後端部１ａの両ヒンジ部１２、１３の下面を切り欠き２６、２７のそれぞれの上部に載置して嵌め込む。この際同時に、操作板３のアーム部３１、３２は側壁２１、２２の内面側に嵌まる。
【００２０】
上記のように構成された実施の形態１の通し具の使用方法について説明する。まず、操作板３および棒体部５を各挟持板１、２に対して垂直方向Ａとなるように回動させて、各挟持板１、２の先端部１ｂ、２ｂを開状態とする（図５、図７（ａ））。このように、クリップ部４の開状態とする際に、操作板３と棒体部５とが一体にて形成されているため、棒体部５を介して行うことができる。よって、操作板３が支点となり、この支点から離れた棒体部５の後端部５ａを力点として行うことができるため、クリップ部４の開状態を、操作板３のみにて行う場合と比較すると、小さな力にて行うことができる。また、このことはクリップ部４を閉状態とする際にも同様のことが言える。
【００２１】
そして、各挟持板１、２の先端部１ｂ、２ｂ間に、紐またはゴムなど、ここでは平ゴム６を挿入する（図７（ｂ））。次に、操作板３および棒体部５を各挟持板１、２に対して水平方向Ｂとなるように回動させて、各挟持板１、２の先端部１ｂ、２ｂを閉状態として、平ゴム６を各挟持板１、２の上歯部１７と、前下歯部２９および後下歯部３０とにて挟持する（図６参照、図７（ｃ））。そして、棒体部５を被装着部、例えば、スカートや、ズボンのウエスト部分の通し部７の通し口７０に挿入して、通し具１００を通していく（図８）。そして、通し部７内に平ゴム６を容易に挿入することができる。
【００２２】
上記のように構成された実施の形態１の通し具によれば、操作板および棒体の回動操作のみにて、上部挟持板と下部挟持板との間に紐やゴムなどを挟持して棒体部により被装着部に挿入することができるため、紐やゴムなどが通しやすく、通す際に通し具へ紐やゴムなどのセットを簡便に行うことができる。
【００２３】
また、操作板が各挟持板に対して水平方向となるように回動した時であって、各挟持板の先端部を閉状態の、操作板の水平時の厚みは各挟持板の厚み内にて構成されているため、通し部に挿入しやすい。
【００２４】
また、棒体部は、操作板と一体成形されているため、クリップ部の開閉において、棒体部の後端部が力点と成り小さな力にて行うことが可能となり、さらに、通し具を簡便に製造することができる。
【００２５】
また、上記実施の形態１においては、棒体部５を操作板３と一体成形し、可動においても操作板３と一体の場合について示したが、これに限られることはなく、例えば、図９に示したように、操作板３の後端部３ａが受け部４０を備え、棒体部５は操作板３の受け部４０内にて連結される挿入部５０を備え、これらにより、各挟持板１、２に対して上下方向Ｃに回動可能に設置する。このように構成すれば、上記実施の形態１と同様の効果を奏するとともに、通し部に通し具を挿入する際の自由度が向上する。
【００２６】
また、図１０に示したように、操作板３の後端部３ａが円筒状の凸部４１を備え、棒体部５は操作板３の凸部４１に挿入して回動可能に連結される挿入部５１を備え、これらにより、棒体部５は操作板３に連結され各挟持板１、２に対して水平方向Ｄに回動可能に設置する。このように構成すれば、上記実施の形態１と同様の効果を奏するとともに、通し部に通し具を挿入する際の自由度が向上する。
【００２７】
また、上記実施の形態１では、棒体部５と操作板３とを一体にて成形する場合について示したが、これに限られることはなく、それぞれを別体にて形成し、組み合わせて構成する場合が考えられ、同様の効果を奏することができる。
【００２８】
尚、本発明は、その発明の範囲内において、実施の形態を適宜、変形、省略することが可能である。
【符号の説明】
【００２９】
１  上部挟持板、１ａ  後端部、１ｂ  前端部、２  下部挟持板、２ａ  後端部、
２ｂ  前端部、３  操作板、３ａ  後端部、４  クリップ部、４０  受け部、
４１  凸部、４ａ  後端部、５  棒体部、５０  挿入部、５１  挿入部、５ａ  後端部、６  平ゴム、１００  通し具、Ａ  垂直方向、Ｂ  水平方向、Ｃ  上下方向、
Ｄ  水平方向。
【図１】
2014105420.tif 000003
【図２】
2014105420.tif 000004
【図３】
2014105420.tif 000005
【図４】
2014105420.tif 000006
【図５】
2014105420.tif 000007
【図６】
2014105420.tif 000008
【図７】
2014105420.tif 000009
【図８】
2014105420.tif 000010
【図９】
2014105420.tif 000011
【図１０】
2014105420.tif 000012